(57)【特許請求の範囲】
【請求項１】
電池を積載した車両である負荷に電流を供給し、電源から出力された充電電流を前記電池に充電する充電装置であって、
前記電源に一端が接続され、前記負荷が電流を受けるための前記負荷の端子に他端が接続される遮断手段と、
前記充電装置を接地するための内部アース端子及び前記負荷を接地するための前記負荷の負荷アース端子に接続されるアース用外部端子に接続された内部アース線と、
前記内部アース線の一端に流れる漏洩電流を検出する検出部と、
前記検出部により検出された前記漏洩電流の検出値と比較するための第１の閾値を記憶する記憶部と、
前記遮断手段を、前記遮断手段の一端と他端との間を導通する導通状態または前記遮断手段の一端と他端との間を遮断する遮断状態に、制御するように構成されており、また、前記第１の閾値と前記検出値とを比較した結果に応じて予め設定された制御を実行する制御部と、を備え、
前記制御部は、
前記内部アース線の一端がアース端子を介して接地された後に前記検出部により検出された前記内部アース線の一端の漏洩電流の検出値を、前記第１の閾値として、前記記憶部に記憶させるための制御を実行し、
前記第１の閾値を前記記憶部に記憶させた後に前記検出部により検出される前記内部アース線の一端の漏洩電流の検出値が、前記第１の閾値を前記記憶部に記憶させた後から設定期間の経過する前に、前記第１の閾値より大きく設定された第１の許容値以上になった場合または前記第１の閾値より小さく設定された第２の許容値以下になった場合に、前記遮断手段を遮断状態にする制御を実行し、
一方、前記設定期間の経過後に前記検出部により検出される前記内部アース線の一端の漏洩電流の検出値が、前記設定期間の経過後、前記第１の許容値以上になった場合または前記第２の許容値以下になった場合に、予め設定された情報を出力するための制御を実行し、
前記第１の許容値は、前記第１の閾値と、前記充電装置の使用を停止する漏洩電流の上限値を規定する第２の閾値と、の間に位置するように設定され、且つ、
前記第２の許容値は、前記第１の閾値と、前記第２の閾値よりも小さく設定され且つ前記充電装置の使用を停止する漏洩電流の下限値を規定する第３の閾値と、の間に位置するように設定され、
前記第１の閾値は、前記充電装置毎に異なる固有の値であり、
一方、前記第２の閾値および前記第３の閾値は、前記第１の閾値とは異なり、予め設定された値である
ことを特徴とする充電装置。
【請求項２】
前記第１の閾値は、前記充電装置毎に接地されたタイミングで設定される値であり、
一方、前記第２の閾値および前記第３の閾値は前記第１の閾値とは異なり、予め設定された値である
ことを特徴とする請求項１に記載の充電装置。
【請求項３】
前記制御部は、
前記内部アース線の一端が接地された後、前記制御部が起動した時に前記検出部により検出された漏洩電流の検出値を、前記第１の閾値として、前記記憶部に記憶させるための制御を実行する
ことを特徴とする請求項１に記載の充電装置。
【請求項４】
前記内部アース線の他端は、前記負荷を接地するための前記負荷アース端子に接続されることを特徴とする請求項１に記載の充電装置。
【請求項５】
前記制御部は、
前記第１の閾値を前記記憶部に記憶させた後、前記検出値が、前記第１の閾値よりも大きく設定された第１の許容値以上になった場合、または、前記第１の閾値よりも小さく設定された第２の許容値以下になった場合に、予め設定された情報を出力するための制御を実行する
ことを特徴とする請求項１に記載の充電装置。
【請求項６】
前記制御部は、
前記第１の閾値を前記記憶部に記憶させた後、前記検出値が、前記第１の閾値よりも大きく設定された第１の許容値以上になった場合、または、前記第１の閾値よりも小さく設定された第２の許容値以下になった場合に、所定の情報を前記充電装置の外部に出力する
ことを特徴とする請求項１に記載の充電装置。
【請求項７】
前記制御部は、
前記検出値が、前記第１の許容値以上になった場合に、第１の情報を前記充電装置の外部に出力し、
一方、前記検出値が、前記第２の許容値以下になった場合に、前記第１の情報とは異なる第２の情報を前記充電装置の外部に出力する
ことを特徴とする請求項６に記載の充電装置。
【請求項８】
前記制御部により制御され、情報を表示する表示部をさらに備え、
前記制御部は、
前記第１の閾値を前記記憶部に記憶した後、前記検出値が、前記第１の閾値よりも大きく設定された第１の許容値以上になった場合および前記第１の閾値よりも小さく設定された第２の許容値以下になった場合に、前記表示部に所定の情報を表示させる
ことを特徴とする請求項１に記載の充電装置。
【請求項９】
前記制御部は、
前記検出値が、前記第１の許容値以上になった場合に、前記表示部に第１の情報を表示させ、
一方、前記検出値が、前記第２の許容値以下になった場合に、前記表示部に前記第１の情報とは異なる第２の情報を表示させる
ことを特徴とする請求項８に記載の充電装置。
【請求項１０】
前記電源は、交流電源であり、
前記充電装置は、前記電源から出力された充電電流を前記電池に充電し、
前記遮断手段の他端は、交流を直流に変換するＡＣ／ＤＣ変換器を介して前記電池に接続されることを特徴とする請求項１に記載の充電装置。
【請求項１１】
前記第１の情報は、前記充電装置の絶縁劣化の確認を指示する情報、または、配線部品の劣化の確認を指示する情報を含み、
前記第２の情報は、前記アース端子と前記アースとの接続の状態の確認を指示する情報、または、前記内部アース線と前記アース端子との間における開放の確認を指示する情報を含む
ことを特徴とする請求項７に記載の充電装置。
【請求項１２】
前記制御部は、
前記第１の閾値を前記記憶部に記憶させた後、前記検出値が、前記第２の閾値以上になった場合、および、前記第３の閾値以下になった場合に、前記充電装置の使用の停止を指示する情報を出力するための制御を実行する
ことを特徴とする請求項１に記載の充電装置。
【請求項１３】
電池を積載した車両である負荷に電流を供給し、電源から出力された充電電流を前記電池に充電する充電装置であって、電源に一端が接続され、前記負荷が電流を受けるための前記負荷の端子に他端が接続される遮断手段と、前記充電装置を接地するための内部アース端子及び前記負荷を接地するための前記負荷の負荷アース端子に接続されるアース用外部端子に接続された内部アース線と、前記内部アース線の一端に流れる漏洩電流を検出する検出部と、前記検出部により検出された前記漏洩電流の検出値と比較するための第１の閾値を記憶する記憶部と、前記遮断手段を、前記遮断手段の一端と他端との間を導通する導通状態または前記遮断手段の一端と他端との間を遮断する遮断状態に、制御するように構成されており、また、前記第１の閾値と前記検出値とを比較した結果に応じて予め設定された制御を実行する制御部と、を備えた充電装置のアース確認方法であって、
前記制御部により、前記内部アース線の一端がアース端子を介して接地された後に前記検出部により検出された前記内部アース線の一端の漏洩電流の検出値を、前記第１の閾値として、前記記憶部に記憶させるための制御を実行し、
前記第１の閾値を前記記憶部に記憶させた後に前記検出部により検出される前記内部アース線の一端の漏洩電流の検出値が、前記第１の閾値を前記記憶部に記憶させた後から設定期間の経過する前に、前記第１の閾値より大きく設定された第１の許容値以上になった場合または前記第１の閾値より小さく設定された第２の許容値以下になった場合に、前記遮断手段を遮断状態にする制御を実行し、
一方、前記設定期間の経過後に前記検出部により検出される前記内部アース線の一端の漏洩電流の検出値が、前記設定期間の経過後、前記第１の許容値以上になった場合または前記第２の許容値以下になった場合に、予め設定された情報を出力するための制御を実行し、
前記第１の許容値は、前記第１の閾値と、前記充電装置の使用を停止する漏洩電流の上限値を規定する第２の閾値と、の間に位置するように設定され、且つ、
前記第２の許容値は、前記第１の閾値と、前記第２の閾値よりも小さく設定され且つ前記充電装置の使用を停止する漏洩電流の下限値を規定する第３の閾値と、の間に位置するように設定され、
前記第１の閾値は、前記充電装置毎に異なる固有の値であり、
一方、前記第２の閾値および前記第３の閾値は、前記第１の閾値とは異なり、予め設定された値である
ことを特徴とするアース確認方法。
【発明の詳細な説明】
【技術分野】
【０００１】
本発明は、充電装置、および、アース確認方法に関する発明である。
【背景技術】
【０００２】
従来、車両（負荷）に積載されている電池を充電するための充電装置（電気機器）がある。電気自動車用の充電装置においては、車両と充電装置との間のアースの状態を検出することが要求されている。【０００３】
ここで、従来技術には、例えば、外部電源によって充電可能な充電装置を搭載した車両において、充電時に車両ボデーと外部電源のアース線との間で発生する漏洩電流を抑制するための充電システムがある（例えば、特開２０１１−５５６８４号公報参照）。【０００４】
また、他の従来技術には、例えば、電気自動車側の絶縁劣化により充電装置側のアース故障等の有無を判断する充電装置がある（例えば、特開平５−２７６６７４号公報参照）。【０００５】
上述のように、上記従来の充電装置では、充電装置のアース線とアースとの間の断線や絶縁の劣化を検出するものではない。【０００６】
すなわち、上記従来の充電装置では、アース線とアースとの間の断線や絶縁の劣化により、例えば、充電装置の筐体等が高電圧になる問題がある。
【発明の開示】
【０００７】
本発明の一態様に係る実施例に従った電気機器は、
負荷に電流を供給するための電気機器であって、
電源に一端が接続され、前記負荷が電流を受けるための前記負荷の端子に他端が接続される遮断手段と、
前記電気機器を接地するための内部アース端子に接続された内部アース線と、
前記内部アース線の一端に流れる漏洩電流を検出する検出部と、
前記検出部により検出された前記漏洩電流の検出値と比較するための第１の閾値を記憶する記憶部と、
前記遮断手段を、前記遮断手段の一端と他端との間を導通する導通状態または前記遮断手段の一端と他端との間を遮断する遮断状態に、制御するように構成されており、また、前記第１の閾値と前記検出値とを比較した結果に応じて予め設定された制御を実行する制御部と、を備え、
前記制御部は、
前記内部アース線の一端がアース端子を介して接地された後に前記検出部により検出された漏洩電流の検出値を、前記第１の閾値として、前記記憶部に記憶させるための制御を実行する
ことを特徴とする。
【０００８】
前記電気機器において、
前記制御部は、
前記内部アース線の一端が接地された後、前記制御部が起動した時に前記検出部により検出された漏洩電流の検出値を、前記第１の閾値として、前記記憶部に記憶させるための制御を実行する
ことを特徴とする。
【０００９】
前記電気機器において、
前記内部アース線の他端は、前記負荷を接地するための前記負荷の負荷アース端子に接続されることを特徴とする。
【００１０】
前記電気機器において、
前記制御部は、
前記第１の閾値を前記記憶部に記憶させた後、前記検出値が、前記第１の閾値よりも大きく設定された第１の許容値以上になった場合、または、前記第１の閾値よりも小さく設定された第２の許容値以下になった場合に、予め設定された情報を出力するための制御を実行する
ことを特徴とする。
【００１１】
前記電気機器において、
前記制御部は、
前記第１の閾値を前記記憶部に記憶させた後、前記検出値が、前記第１の閾値よりも大きく設定された第１の許容値以上になった場合、または、前記第１の閾値よりも小さく設定された第２の許容値以下になった場合に、前記遮断手段を遮断状態にする制御を実行する
ことを特徴とする。
【００１２】
前記電気機器において、
前記制御部は、
前記第１の閾値を前記記憶部に記憶させた後、前記検出値が、前記第１の閾値よりも大きく設定された第１の許容値以上になった場合、または、前記第１の閾値よりも小さく設定された第２の許容値以下になった場合に、所定の情報を前記電気機器の外部に出力する
ことを特徴とする。
【００１３】
前記電気機器において、
前記制御部は、
前記検出値が、前記第１の許容値以上になった場合に、第１の情報を前記電気機器の外部に出力し、
一方、前記検出値が、前記第２の許容値以下になった場合に、前記第１の情報とは異なる第２の情報を前記電気機器の外部に出力する
ことを特徴とする。
【００１４】
前記電気機器において、
前記制御部により制御され、情報を表示する表示部をさらに備え、
前記制御部は、
前記第１の閾値を前記記憶部に記憶した後、前記検出値が、前記第１の閾値よりも大きく設定された第１の許容値以上になった場合および前記第１の閾値よりも小さく設定された第２の許容値以下になった場合に、前記表示部に所定の情報を表示させる
ことを特徴とする。
【００１５】
前記電気機器において、
前記制御部は、
前記検出値が、前記第１の許容値以上になった場合に、前記表示部に第１の情報を表示させ、
一方、前記検出値が、前記第２の許容値以下になった場合に、前記表示部に前記第１の情報とは異なる第２の情報を表示させる
ことを特徴とする。
【００１６】
前記電気機器において、
前記電源は、交流電源であり、
前記負荷は、電池を積載した車両であり、
前記電気機器は、前記電源から出力された充電電流を前記電池に充電するための充電装置であり、
前記遮断手段の他端は、交流を直流に変換するＡＣ／ＤＣ変換器を介して前記電池に接続されることを特徴とする。
【００１７】
前記電気機器において、
前記第１の許容値は、前記第１の閾値と、前記電気機器の使用を停止する漏洩電流の上限値を規定する第２の閾値と、の間に位置するように設定され、且つ、
前記第２の許容値は、前記第１の閾値と、前記第２の閾値よりも小さく設定され且つ前記電気機器の使用を停止する漏洩電流の下限値を規定する第３の閾値と、の間に位置するように設定される
ことを特徴とする。
【００１８】
前記電気機器において、
前記第１の情報は、前記電気機器の絶縁劣化の確認を指示する情報、または、配線部品の劣化の確認を指示する情報を含み、
前記第２の情報は、前記アース端子と前記アースとの接続の状態の確認を指示する情報、または、前記内部アース線と前記アース端子との間における開放の確認を指示する情報を含む
ことを特徴とする。
【００１９】
前記電気機器において、
前記制御部は、
前記第１の閾値を前記記憶部に記憶させた後、前記検出値が、前記第２の閾値以上になった場合、および、前記第３の閾値以下になった場合に、前記電気機器の使用の停止を指示する情報を出力するための制御を実行する
ことを特徴とする。
【００２０】
前記電気機器において、
前記制御部は、
前記検出値が、前記第１の閾値を前記記憶部に記憶させた後から設定期間の経過する前に、前記第１の許容値以上になった場合または前記第２の許容値以下になった場合に、前記遮断手段を遮断状態にする制御を実行し、
一方、前記検出値が、前記設定期間の経過後、前記第１の許容値以上になった場合または前記第２の許容値以下になった場合に、予め設定された情報を出力するための制御を実行する
ことを特徴とする。
【００２１】
本発明の一態様に係る実施例に従ったアース確認方法は、
負荷に電流を供給するための電気機器であって、電源に一端が接続され、前記負荷が電流を受けるための前記負荷の端子に他端が接続される遮断手段と、前記電気機器を接地するための内部アース端子に接続された内部アース線と、前記内部アース線の一端に流れる漏洩電流を検出する検出部と、前記検出部により検出された前記漏洩電流の検出値と比較するための第１の閾値を記憶する記憶部と、前記遮断手段を、前記遮断手段の一端と他端との間を導通する導通状態または前記遮断手段の一端と他端との間を遮断する遮断状態に、制御するように構成されており、また、前記第１の閾値と前記検出値とを比較した結果に応じて予め設定された制御を実行する制御部と、を備えた電気機器のアース確認方法であって、
前記制御部により、前記内部アース線の一端がアース端子を介して接地された後に前記検出部により検出された漏洩電流の検出値を、前記第１の閾値として、前記記憶部に記憶させるための制御を実行する
ことを特徴とする。
【００２２】
本発明に係る電気機器は、負荷に電流を供給するための電気機器であって、電源に一端が接続され、負荷が電流を受けるための負荷の端子に他端が接続される遮断手段と、電気機器を接地するための内部アース端子に接続された内部アース線と、内部アース線の一端に流れる漏洩電流を検出する検出部と、検出部により検出された漏洩電流の検出値と比較するための第１の閾値を記憶する記憶部と、遮断手段を、遮断手段の一端と他端との間を導通する導通状態または遮断手段の一端と他端との間を遮断する遮断状態に、制御するように構成されており、また、第１の閾値と検出値とを比較した結果に応じて予め設定された制御を実行する制御部と、を備える。
【００２３】
そして、制御部は、内部アース線の一端がアース端子を介して接地された後、制御部が起動した時に検出部により検出された検出値を、第１の閾値として、記憶部に記憶させるための制御を実行する。
【００２４】
特に、制御部は、第１の閾値を記憶部に記憶させた後、検出値が、第１の閾値よりも大きく設定された第１の許容値以上になった場合、または、第１の閾値よりも小さく設定された第２の許容値以下になった場合に、予め設定された情報を出力するための制御を実行する。
【００２５】
なお、第１の許容値は、第１の閾値と、電気機器の使用を停止する漏洩電流の上限値を規定する第２の閾値と、の間に位置するように設定され、且つ、第２の許容値は、第１の閾値と、第２の閾値よりも小さく設定され且つ電気機器の使用を停止する漏洩電流の下限値を規定する第３の閾値と、の間に位置するように設定される。
【００２６】
これにより、例えば、使用者は、電気機器から出力された情報または表示部に表示された情報に応じて、電気機器の内部アース線とアースとの間の断線や絶縁の劣化に対する保守・点検の作業を実施することができる。
【００２７】
したがって、本発明に係る電気機器（充電装置）では、内部アース線とアースとの間の断線や絶縁の劣化により、電気機器の筐体等が高電圧になるのを抑制することができる。
【図面の簡単な説明】
【００２８】
【図１】図１は、本発明の一態様である実施例１に係る電気機器１００の構成の一例を示す図である。
【図２】図２は、図１に示す電気機器１００の漏洩電流の検出値、各閾値、および許容値の関係の一例を示す波形図である。
【発明を実施するための最良の形態】
【００２９】
以下、本発明に係る各実施例について図面に基づいて説明する。
【実施例１】
【００３０】
図１は、本発明の一態様である実施例１に係る電気機器１００の構成の一例を示す図である。また、図２は、図１に示す電気機器１００の漏洩電流の検出値、各閾値、および許容値の関係の一例を示す波形図である。【００３１】
図１に示す電源Ｓは、例えば、交流電源である。【００３２】
また、図１に示す負荷Ａは、例えば、ハイブリッドカーや電気自動車等の電気を動力源の一つとする車両である。すなわち、図１の例では、電気機器１００に接続される負荷Ａは、電池Ｂを積載した車両である。【００３３】
ここで、図１に示すように、負荷（車両）Ａは、端子ＴＬＡ、ＴＮＡと、負荷アース端子ＴＦＧＡと、電池Ｂと、を備える。なお、負荷（車両）Ａは、例えば、図示しない交流を直流に変換する車載充電器（ＡＣ／ＤＣ）を備えている。【００３４】
端子ＴＬＡ、ＴＮＡは、車載充電器（ＡＣ／ＤＣ）を介して、電池Ｂに接続されている。【００３５】
負荷アース端子ＴＦＧＡは、負荷Ａを接地するための負荷Ａの端子である。【００３６】
また、電気機器１００は、負荷Ａに電流を供給するようになっている。上記場合、電気機器１００は、例えば、電源Ｓから出力された電流（充電電流）を電池Ｂに充電するための充電装置である。【００３７】
この電気機器１００は、例えば、図１に示すように、Ｌ相用ラインＬ１、Ｌ２と、Ｎ相用ラインＮ１、Ｎ２と、電力供給端子ＴＬ１、ＴＬ２、ＴＮ１、ＴＮ２と、第１の外部アース線ＦＧ１と、第２の外部アース線ＦＧ２と、第１のアース用外部端子ＴＦＧ１と、第２のアース用外部端子ＴＦＧ２と、遮断手段ＳＷと、内部アース線ＦＧｉｎと、検出部Ｄと、内部回路１００ａと、端子ＴＬｉｎ、ＴＮｉｎと、内部アース端子ＴＦＧｉｎと、を備える。【００３８】
内部回路１００ａは、記憶部Ｍと、制御部ＣＯＮと、表示部Ｘと、を含む。この内部回路１００ａは、電源ＳからＬ相用ラインＬ１、Ｎ相用ラインＮ１、端子ＴＬｉｎ、ＴＮｉｎを介して供給された電力より動作するようになっている。また、内部回路１００ａは、内部アース端子ＴＦＧｉｎ、内部アース線ＴＧｉｎ、第１の外部アース線ＦＧ１、およびアース端子ＴＧＮＤを介して、接地されるようになっている。【００３９】
電力供給ラインＺは、Ｌ相用ラインＬ１、Ｌ２と、Ｎ相用ラインＮ１、Ｎ２との２本のラインからなる。【００４０】
Ｌ相用ラインＬ１は、一端が電源ＳのＬ相に接続され、他端が電力供給端子ＴＬ１を介して遮断手段ＳＷに接続されている。【００４１】
Ｌ相用ラインＬ２は、一端が電力供給端子ＴＬ２を介して遮断手段ＳＷに接続され、他端が負荷Ａの端子ＴＬＡに接続されている。【００４２】
Ｎ相用ラインＮ１は、一端が電源ＳのＮ相に接続され、他端が電力供給端子ＴＮ１を介して遮断手段ＳＷに接続されている。【００４３】
Ｎ相用ラインＮ２は、一端が電力供給端子ＴＮ２を介して遮断手段ＳＷに接続され、他端が負荷Ａの端子ＴＮＡに接続されている。【００４４】
第１の外部アース線ＦＧ１は、一端がアース端子ＴＧＮＤに接続され、他端が第１のアース用外部端子ＴＦＧ１を介して内部アース線ＦＧｉｎの一端（内部アース端子ＴＦＧｉｎ）に接続されている。【００４５】
第２の外部アース線ＦＧ２は、一端が第２のアース用外部端子ＴＦＧ２を介して内部アース線ＦＧｉｎの他端に接続され、他端が負荷アース端子ＴＦＧＡに接続されている。【００４６】
遮断手段ＳＷの一端は、既述のように、Ｌ相用ラインＬ１および電力供給端子ＴＬ１（Ｎ相用ラインＮ１および電力供給端子ＴＮ１）を介して、電源Ｓに接続されている。【００４７】
また、遮断手段ＳＷの他端は、既述のように、Ｌ相用ラインＬ２および電力供給端子ＴＬ２（Ｎ相用ラインＮ２および電力供給端子ＴＮ２）を介して、負荷Ａが電流を受けるための負荷Ａの端子ＴＬＡ（ＴＮＡ）に接続されている。【００４８】
すなわち、遮断手段ＳＷの他端は、交流を直流に変換するＡＣ／ＤＣ変換器（図示せず）を介して電池Ｂに接続される。【００４９】
この遮断手段ＳＷは、導通状態において、遮断手段ＳＷの一端と他端との間（すなわち、Ｌ相用ラインＬ１の他端とＬ相用ラインＬ２の一端との間、および、Ｎ相用ラインＮ１の他端とＮ相用ラインＮ２の一端との間）を導通するようになっている。【００５０】
また、遮断手段ＳＷは、遮断状態において、遮断手段ＳＷの一端と他端との間（すなわち、Ｌ相用ラインＬ１の他端とＬ相用ラインＬ２の一端との間、および、Ｎ相用ラインＮ１の他端とＮ相用ラインＮ２の一端との間）を遮断するようになっている。【００５１】
なお、この遮断手段ＳＷは、例えば、半導体スイッチ、マグネット、遮断機、リレーのいずれかで構成される。【００５２】
内部アース線ＦＧｉｎは、電気機器１００（特に、内部回路１００ａ）を接地するための内部アース端子ＴＦＧｉｎに接続されている。【００５３】
内部アース線ＦＧｉｎの一端は、第１のアース用外部端子ＴＦＧ１に接続されている。この第１のアース用外部端子ＴＦＧ１は、第１のアース線ＦＧ１およびアース端子ＴＧＮＤを介してアースＧＮＤに接続される。【００５４】
すなわち、内部アース線ＦＧｉｎの一端は、第１のアース用外部端子ＴＦＧ１、第１のアース線ＦＧ１およびアース端子ＴＧＮＤを介して、電気的にアースＧＮＤに接続される。【００５５】
内部アース線ＦＧｉｎの他端は、第２のアース用外部端子ＴＦＧ２に接続されている。この第２のアース用外部端子ＴＦＧ２は、第２の外部アース線ＦＧ２を介して負荷アース端子ＴＦＧＡに接続される。【００５６】
すなわち、内部アース線ＦＧｉｎの他端は、第２のアース用外部端子ＴＦＧ２および第２の外部アース線ＦＧ２を介して、負荷Ａを接地するための負荷Ａの負荷アース端子ＴＦＧＡに、電気的に接続される。【００５７】
検出部Ｄは、例えば、内部アース線ＦＧｉｎの一端に流れる漏洩電流Ｉ（より詳しくは、電気機器１００を接地するための内部アース端子ＴＦＧｉｎと第１のアース用外部端子ＴＦＧ１との間に流れる漏洩電流Ｉ）を検出するようになっている。【００５８】
記憶部Ｍは、検出部Ｄにより検出された漏洩電流Ｉの検出値ｉｄと比較するための第１の閾値ＴＨ１を記憶するようになっている。【００５９】
さらに、この記憶部Ｍは、電気機器１００の使用を停止する漏洩電流Ｉの上限値を規定する第２の閾値ＴＨ２と、電気機器１００の使用を停止する漏洩電流Ｉの下限値を規定する第３の閾値ＴＨ３と、第１の閾値ＴＨ１よりも大きく設定された第１の許容値ＰＶ１と、第１の閾値ＴＨ１よりも小さく設定された第２の許容値ＰＶ２と、を記憶するようになっている。【００６０】
なお、第１の許容値ＰＶ１は、例えば、第１の閾値ＴＨ１と、第２の閾値ＴＨ２との間に位置するように設定される（図２）。【００６１】
また、第２の許容値ＰＶ２は、例えば、第１の閾値ＴＨ１と、第３の閾値ＴＨ３との間に位置するように設定される（図２）。【００６２】
なお、上記第２、第３の閾値ＴＨ２、ＴＨ３は、電気機器１００毎に接地されたタイミングで設定される第１の閾値ＴＨ１とは異なり、予め設定された値である。【００６３】
また、表示部Ｘは、制御部ＣＯＮにより制御され、所定の情報を表示するようになっている。【００６４】
また、制御部ＣＯＮは、遮断手段ＳＷを、遮断手段ＳＷの一端と他端との間を導通する導通状態または遮断手段ＳＷの一端と他端との間を遮断する遮断状態に、制御するように構成されている。【００６５】
また、制御部ＣＯＮは、記憶部Ｍに記憶された第１の閾値ＴＨ１と検出部Ｄにより検出された検出値ｉｄとを比較した結果に応じて、予め設定された制御を実行するようになっている。【００６６】
例えば、制御部ＣＯＮは、内部アース線ＦＧｉｎが第１の外部アース線ＦＧ１およびアース端子ＴＧＮＤを介してアースＧＮＤに接続された後に検出部Ｄにより検出された検出値ｉｄを、第１の閾値ＴＨ１として、記憶部Ｍに記憶させるための制御を実行するようになっている。【００６７】
より詳しくは、制御部ＣＯＮは、内部アース線ＦＧｉｎが第１の外部アース線ＦＧ１およびアース端子ＴＧＮＤを介してアースＧＮＤに接続された後、制御部ＣＯＮが起動した時に検出部Ｄにより検出された漏洩電流Ｉの検出値ｉｄを、第１の閾値ＴＨ１として、記憶部Ｍに記憶させるための制御を実行するようになっている。【００６８】
このように、第１の閾値ＴＨ１は、電気機器１００を接地した後に設定される固有の値であり、電気機器１００毎に異なる値である。【００６９】
さらに、例えば、制御部ＣＯＮは、第１の閾値ＴＨ１を記憶部Ｍに記憶させた後、検出値ｉｄが、第１の閾値ＴＨ１よりも大きく設定された第１の許容値ＰＶ１以上になった場合、または、第１の閾値ＴＨ１よりも小さく設定された第２の許容値ＰＶ２以下になった場合に、遮断手段ＳＷを遮断状態にする制御を実行するようになっている。【００７０】
さらに、例えば、制御部ＣＯＮは、第１の閾値ＴＨ１を記憶部Ｍに記憶させた後、検出値ｉｄが、第１の閾値ＴＨ１よりも大きく設定された第１の許容値ＰＶ１以上になった場合、または、第１の閾値ＴＨ１よりも小さく設定された第２の許容値ＰＶ２以下になった場合に、予め設定された情報を出力するための制御を実行するようになっている。【００７１】
より詳しくは、例えば、制御部ＣＯＮは、第１の閾値ＴＨ１を記憶部Ｍに記憶させた後、検出値ｉｄが、第１の閾値ＴＨ１よりも大きく設定された第１の許容値ＰＶ１以上になった場合、または、第１の閾値ＴＨ１よりも小さく設定された第２の許容値ＰＶ２以下になった場合に、所定の情報を電気機器１００の外部に出力するようになっている。【００７２】
なお、制御部ＣＯＮは、検出値ｉｄが、第１の許容値ＰＶ１以上になった場合に、第１の情報を電気機器１００の外部に出力するようにしてもよい。【００７３】
一方、制御部ＣＯＮは、検出値ｉｄが、第２の許容値ＰＶ２以下になった場合に、第１の情報とは異なる第２の情報を電気機器１００の外部に出力するようにしてもよい。【００７４】
なお、上述の予め設定された情報（第１、第２の情報）は、例えば、図示しないパソコン等に送信される。そして、使用者は、パソコンから予め設定された情報に基づいた所定の情報を取得し、または、パソコンを操作して予め設定された情報に基づいた制御を実行させる。【００７５】
また、例えば、制御部ＣＯＮは、第１の閾値ＴＨ１を記憶部Ｍに記憶した後、検出値ｉｄが、第１の閾値ＴＨ１よりも大きく設定された第１の許容値ＰＶ１以上になった場合および第１の閾値ＴＨ１よりも小さく設定された第２の許容値ＰＶ２以下になった場合に、表示部Ｘに所定の情報を表示させるようになっている。【００７６】
なお、制御部ＣＯＮは、検出値ｉｄが、第１の許容値ＰＶ１以上になった場合に、表示部Ｘに第１の情報を表示させるようにしてもよい。【００７７】
一方、制御部ＣＯＮは、検出値ｉｄが、第２の許容値ＰＶ２以下になった場合に、表示部Ｘに第１の情報とは異なる第２の情報を表示させるようにしてもよい。【００７８】
なお、既述の第１の情報は、例えば、電気機器１００の絶縁劣化の確認を指示する情報、または、配線部品の劣化の確認を指示する情報を含む。【００７９】
また、既述の第２の情報は、アース端子ＴＧＮＤとアースＧＮＤとの接続の状態の確認を指示する情報、または、内部アース線ＦＧｉｎとアース端子ＴＧＮＤとの間における開放の確認を指示する情報を含む。【００８０】
さらに、制御部ＣＯＮは、第１の閾値ＴＨ１を記憶部Ｍに記憶させた後、検出値ｉｄが、第２の閾値ＴＨ２以上になった場合、および、第３の閾値ＴＨ３以下になった場合に、電気機器１００の使用の停止を指示する情報を出力（外部に出力または表示部Ｘに表示）するための制御を実行するようになっている。【００８１】
さらに、制御部ＣＯＮは、検出値ｉｄが、第１の閾値ＴＨ１を記憶部Ｍに記憶させた後から設定期間Ｙ（図２）の経過する前に、第１の許容値ＰＶ１以上になった場合または第２の許容値ＰＶ２以下になった場合に、遮断手段ＳＷを遮断状態にする制御を実行するようにしてもよい。【００８２】
なお、この場合、制御部ＣＯＮは、上記遮断手段ＳＷの制御に加えて、予め設定された情報を出力するための制御をさらに実行するようにしてもよい。【００８３】
一方、制御部ＣＯＮは、検出値ｉｄが、設定期間Ｙ（図２）の経過後、第１の許容値ＰＶ１以上になった場合または第２の許容値ＰＶ２以下になった場合に、予め設定された情報を出力するための制御を実行するようにしてもよい。【００８４】
次に、以上のような構成を有する電気機器１００のアース確認方法の一例について、説明する。【００８５】
先ず、使用者により、内部アース線ＦＧｉｎが第１の外部アース線ＦＧ１およびアース端子ＴＧＮＤを介してアースＧＮＤに接続される。【００８６】
さらに、使用者により、電源ＳがＬ相用ラインＬ１、Ｎ相用ラインＮ１を介して電力供給端子ＴＬ１、ＴＮ１に接続される。これにより、電源Ｓから内部回路１００ａに電力が供給され、制御部ＣＯＮが起動する。【００８７】
そして、制御部ＣＯＮは、内部アース線ＦＧｉｎが第１の外部アース線ＦＧ１およびアース端子ＴＧＮＤを介してアースＧＮＤに接続された後、制御部ＣＯＮが起動した時に検出部Ｄにより検出された漏洩電流Ｉの検出値ｉｄを、第１の閾値ＴＨ１として、記憶部Ｍに記憶させるための制御を実行する。【００８８】
さらに、使用者により、Ｌ相用ラインＬ２およびＮ相用ラインＮ２が負荷Ａの端子ＴＬＡ、ＴＮＡに接続されると共に、第２の外部アース線ＦＧ２が負荷Ａの負荷アース端子ＴＦＧＡに接続される。【００８９】
これにより、負荷Ａの電池Ｂに対する充電が開始され、電源Ｓから出力された電流（充電電流）が電池Ｂに供給される。【００９０】
ここで、制御部ＣＯＮは、第１の閾値ＴＨ１を記憶部Ｍに記憶させた後、検出値ｉｄが、第１の許容値ＰＶ１以上になった場合、または、第２の許容値ＰＶ２以下になった場合に、遮断手段ＳＷを遮断状態にする制御を実行する。【００９１】
これにより、漏洩電流Ｉの値が電気機器１００を接地したときに個別に設定される第１の閾値ＴＨ１よりも所定レベルだけ離れると、遮断手段ＳＷが遮断状態になり、負荷Ａへの電流の供給が停止する（または充電が開始されない）。すなわち、電気機器１００は、接地する配線経路に何らかの異常がある場合には、負荷Ａへの電流の供給を停止（または開始されないように）することができる。【００９２】
さらに、制御部ＣＯＮは、第１の閾値ＴＨ１を記憶部Ｍに記憶させた後、検出値ｉｄが、第１の許容値ＰＶ１以上になった場合に、第１の情報を電気機器１００の外部に出力する。さらに、制御部ＣＯＮは、第１の閾値ＴＨ１を記憶部Ｍに記憶させた後、検出値ｉｄが、第１の許容値ＰＶ１以上になった場合に、表示部Ｘに第１の情報を表示させる。【００９３】
既述のように、第１の情報は、例えば、電気機器１００の絶縁劣化の確認を指示する情報、または、配線部品の劣化の確認を指示する情報を含む。【００９４】
したがって、使用者は、電気機器１００から出力された情報または表示部Ｘに表示された第１の情報に応じて、電気機器１００の絶縁劣化の確認や配線部品の劣化の確認をすることができる。【００９５】
一方、制御部ＣＯＮは、第１の閾値ＴＨ１を記憶部Ｍに記憶させた後、検出値ｉｄが、第２の許容値ＰＶ２以下になった場合に、第２の情報を電気機器１００の外部に出力する。さらに、制御部ＣＯＮは、第１の閾値ＴＨ１を記憶部Ｍに記憶させた後、検出値ｉｄが、第２の許容値ＰＶ２以下になった場合に、表示部Ｘに第２の情報を表示させる。【００９６】
既述のように、第２の情報は、アース端子ＴＧＮＤとアースＧＮＤとの接続の状態の確認を指示する情報、または、内部アース線ＦＧｉｎとアース端子ＴＧＮＤとの間における開放の確認を指示する情報を含む。【００９７】
したがって、使用者は、電気機器１００から出力された情報または表示部Ｘに表示された第２の情報に応じて、アース端子ＴＧＮＤとアースＧＮＤとの接続の状態の確認、または、内部アース線ＦＧｉｎとアース端子ＴＧＮＤとの間における開放の確認を実行することができる。【００９８】
さらに、制御部ＣＯＮは、第１の閾値ＴＨ１を記憶部Ｍに記憶させた後、検出値ｉｄが、第２の閾値ＴＨ２以上になった場合、および、第３の閾値ＴＨ３以下になった場合に、電気機器１００の使用の停止を指示する情報を出力（外部に出力または表示部Ｘに表示）するための制御を実行する。【００９９】
これにより、使用者は、電気機器１００から出力された使用の停止を指示する情報または表示部Ｘに表示された使用の停止を指示する情報に応じて、電気機器１００の使用を停止することができる。【０１００】
さらに、制御部ＣＯＮは、検出値ｉｄが、第１の閾値ＴＨ１を記憶部Ｍに記憶させた後から設定期間Ｙ（図２）の経過する前に、第１の許容値ＰＶ１以上になった場合または第２の許容値ＰＶ２以下になった場合に、遮断手段ＳＷを遮断状態にする制御を実行する。【０１０１】
これにより、電気機器１００は、例えば、内部アース線ＦＧｉｎまたは第１の外部アース線ＦＧ１が断線して漏洩電流Ｉが急に小さくなる場合等には、遮断手段ＳＷを遮断状態にして充電を停止することができる。【０１０２】
一方、制御部ＣＯＮは、検出値ｉｄが、設定期間Ｙ（図２）の経過後、第１の許容値ＰＶ１以上になった場合または第２の許容値ＰＶ２以下になった場合に、予め設定された情報を出力するための制御を実行する。【０１０３】
これにより、制御部ＣＯＮは、経年劣化等によりゆっくりと漏洩電流Ｉが上昇した場合等には、内部アース線ＦＧｉｎや第１の外部アース線ＦＧ１の張り替え等の予め設定された情報を出力することができる。【０１０４】
以上のように、本発明の一態様に係る電気機器１００は、負荷（車両）Ａに電流を供給するための電気機器１００であって、電源Ｓに一端が接続され、負荷Ａが電流を受けるための負荷Ａの端子ＴＬＡ、ＴＮＡに他端が接続される遮断手段ＳＷと、電気機器１００を接地するための内部アース端子ＴＦＧｉｎに接続された内部アース線ＦＧｉｎと、内部アース線ＦＧｉｎの一端に流れる漏洩電流Ｉを検出する検出部Ｄと、検出部Ｄにより検出された漏洩電流Ｉの検出値ｉｄと比較するための第１の閾値ＴＨ１を記憶する記憶部Ｍと、遮断手段ＳＷを、遮断手段ＳＷの一端と他端との間を導通する導通状態または遮断手段ＳＷの一端と他端との間を遮断する遮断状態に、制御するように構成されており、また、第１の閾値ＴＨ１と検出値ｉｄとを比較した結果に応じて予め設定された制御を実行する制御部ＣＯＮと、を備える。【０１０５】
そして、制御部ＣＯＮは、内部アース線ＦＧｉｎの一端がアース端子ＴＧＮＤを介してアースＧＮＤに接続された後、制御部ＣＯＮが起動した時に検出部Ｄにより検出された検出値ｉｄを第１の閾値ＴＨ１として、記憶部Ｍに記憶させるための制御を実行する。【０１０６】
特に、制御部ＣＯＮは、第１の閾値ＴＨ１を記憶部Ｍに記憶させた後、検出値ｉｄが、第１の閾値ＴＨ１よりも大きく設定された第１の許容値ＰＶ１以上になった場合、または、第１の閾値ＴＨ１よりも小さく設定された第２の許容値ＰＶ２以下になった場合に、予め設定された情報を出力するための制御を実行する。【０１０７】
なお、第１の許容値ＰＶ１は、第１の閾値ＴＨ１と、電気機器１００の使用を停止する漏洩電流Ｉの上限値を規定する第２の閾値ＴＨ２と、の間に位置するように設定され、且つ、第２の許容値ＰＶ２は、第１の閾値ＴＨ１と、第２の閾値ＴＨ２よりも小さく設定され且つ電気機器１００の使用を停止する漏洩電流Ｉの下限値を規定する第３の閾値ＴＨ３と、の間に位置するように設定される。【０１０８】
したがって、例えば、使用者は、電気機器１００から出力された情報または表示部Ｘに表示された情報に応じて、電気機器１００の内部アース線ＦＧｉｎとアースＧＮＤとの間の断線や絶縁の劣化に対する保守・点検の作業を実施することができる。【０１０９】
すなわち、本発明に係る電気機器（充電装置）１００では、内部アース線ＦＧｉｎとアースＧＮＤとの間の断線や絶縁の劣化により、電気機器１００の筐体等が高電圧になるのを抑制することができる。【０１１０】
なお、実施例は例示であり、発明の範囲はそれらに限定されない。特に、電気機器１００は充電装置に限定されず、負荷に電流を供給するものであれば良い。また、負荷Ａも車両に限定されない。
【符号の説明】
【０１１１】
１００  電気機器（充電装置）
Ｌ１、Ｌ２  Ｌ相用ライン
Ｎ１、Ｎ２  Ｎ相用ライン
ＴＬ１、ＴＬ２、ＴＮ１、ＴＮ２  電力供給端子
ＦＧ１  第１の外部アース線
ＦＧ２  第２の外部アース線
ＴＦＧ１  第１のアース用外部端子
ＴＦＧ２  第２のアース用外部端子
ＴＬｉｎ、ＴＮｉ  端子
ＴＦＧｉｎ  内部アース端子
ＳＷ  遮断手段
ＦＧｉｎ  内部アース線
Ｄ  検出部
１００ａ  内部回路
Ｍ  記憶部
ＣＯＮ  制御部
Ｘ  表示部
Ａ  負荷（車両）
ＴＬＡ、ＴＮＡ、ＴＦＧＡ  端子
Ｂ  電池
Ｓ  電源（交流電源）
【図１】
0005944507.tif 000002
【図２】
0005944507.tif 000003